(57)【特許請求の範囲】
【請求項１】
前面に前板を備えた引出を有する収納庫であって、
前記前板は、
ほぼ板状の基材と、
ステンレス鋼からなり、前記基材の前面に対応する前面部および該前面部から屈曲して側面とほぼ平行に延びる側壁部を有する化粧板と、
前記基材の側面と前記化粧板の側壁部との間に形成された空隙と、
前記空隙に差し込まれる挿入部と、前記挿入部の後端から左右に連続して、少なくとも前記基材の裏面と側面とが交差するエッジおよび前記側壁部の後端部を覆う装飾部とを有するエッジ部材と、
前記前板の上面および下面のうち、少なくとも下面の両端部において前記空隙およびエッジ部材の端部を覆うキャップと、
前記前板の上面および下面のうち、少なくとも下面において前記キャップの間を覆い、断面形状がほぼ一定の押出成形材であるモールとを備えたことを特徴とする収納庫。
【請求項２】
前記前板の上面は、前記キャップおよび前記モールに代えて、取手部材で覆われていることを特徴とする請求項１に記載の収納庫。
【請求項３】
前記挿入部は弾性部材であって、
前記装飾部は硬質の樹脂部材であることを特徴とする請求項１または２に記載の収納庫。
【請求項４】
前記基材の上面および下面のうち、前記キャップおよびモールが取り付けられる面には長手方向に沿って溝が形成されていて、
前記キャップおよびモールは、前記溝と係合する突出部分を有し、
前記突出部分はやじり形状であることを特徴とする請求項１から３のいずれか１項に記載の収納庫。
【発明の詳細な説明】
【技術分野】
【０００１】
本発明は、前面に前板を備えた引出を有する収納庫に関するものである。
【背景技術】
【０００２】
キッチンには、調理器具や調理材料、食器などを収納しておくために、多くの収納スペースが設けられている。このため天板（システムキッチンにおいてはワークトップ）の下には、引出や開き戸が設けられるのが通常である。近年では、引出などに収納される被収納物をある程度想定し、引出の大きさや仕切りの形状を工夫することにより、使い勝手の向上を図ることが行われている。
【０００３】
また、顧客の幅広いニーズに応えるために、収納庫は、木製のものやステンレス等からなる金属製のものなど各種ラインナップが取り揃えられている。各種ラインナップのうち、金属製の収納庫は、高級感や耐久性の高さにおいて人気があり、最近の主流となりつつある。
【０００４】
金属製の収納庫では、引出の前面に配置された前板に、ステンレス鋼からなる化粧板を用いることがある。例えば特許文献１に記載された前板の構造では、板状の基材と、基材の前面および背面に接着等により貼り付けられたステンレス鋼からなる化粧板と、基材の側面、上面および下面に貼り付けられた樹脂製の枠材とを備えている。また、特許文献１には、基材に化粧板を貼り付けた状態のまま、基材および化粧板を所定寸法に切断した後で、枠材を貼り付けることが記載されている。
【０００５】
特許文献２の図５には、板状の基材と、コの字形状を有するステンレス鋼からなる化粧板と、樹脂製の被覆部材およびパッキン部材とを備えた前板の構造が開示されている。化粧板は、基材の前面に対応する前面部と、前面部から屈曲して、基材の側面に接触した状態で、基材の側面に沿って延びる側壁部とを有している。
【０００６】
また、被覆部材は、化粧板の側壁部の端部および端部近傍、基材の裏面と側面とが交差するエッジ、およびエッジ近傍を覆っている。さらに、パッキン部材は、被覆部材のうち基材の裏面側と、基材のエッジ近傍の裏面とを覆っている。
【先行技術文献】
【特許文献】
【０００７】
【特許文献１】特開２００５−１４６６０５号公報
【特許文献２】特開２００４−２４３６４７号公報
【発明の概要】
【発明が解決しようとする課題】
【０００８】
しかしながら、特許文献１に記載の前板の構造では、基材の側面が、ステンレス鋼からなる化粧板ではなく、樹脂製の枠材で覆われているので、美観が損なわれてしまう。また、化粧板が貼り付けられた状態の基材を切断した後で、枠材を貼り付けるので、生産性が低下してしまう。
【０００９】
これに対して、特許文献２に記載の前板の構造では、ステンレス鋼からなる化粧板が、基材の前面から側面に屈曲する側壁部を有していて、基材の側面にステンレスの質感が表れることから、美観が損なわれない。しかし、化粧板の側壁部は、基材の側面にしっかりと接触させることから、ステンレス鋼を折り曲げる際の寸法公差が小さくなり、生産性が低下する。また、樹脂製の被覆部材は、化粧板の側壁部の端部、および端部の近傍を覆うため、接着剤等により強固に貼り付ける必要がある。しかし、経年で接着剤が収縮および剥離した後では、被覆部材が脱落してしまい、化粧板の側壁部の端部が剥き出しになり、使用者の安全性を損なう場合もあり得る。さらに、パッキン部材も必要なことから、工数が増えて生産性が低下する。
【００１０】
本発明は、このような課題に鑑み、生産性および安全性を向上させながら、美観にも優れた収納庫を提供することを目的としている。
【課題を解決するための手段】
【００１１】
上記課題を解決するために、本発明にかかる収納庫の代表的な構成は、前面に前板を備えた引出を有する収納庫であって、前板は、ほぼ板状の基材と、ステンレス鋼からなり、基材の前面に対応する前面部および前面部から屈曲して側面とほぼ平行に延びる側壁部を有する化粧板と、基材の側面と化粧板の側壁部との間に形成された空隙と、空隙に差し込まれる挿入部と、挿入部の後端から左右に連続して、少なくとも基材の裏面と側面とが交差するエッジおよび側壁部の後端部を覆う装飾部とを有するエッジ部材と、前板の上面および下面のうち、少なくとも下面の両端部において空隙およびエッジ部材の端部を覆うキャップと、前板の上面および下面のうち、少なくとも下面においてキャップの間を覆い、断面形状がほぼ一定の押出成形材であるモールとを備えたことを特徴とする。
【００１２】
上記構成によれば、基材の前面が化粧板の前面部で覆われ、基材の側面が化粧板の側壁部で覆われるので、基材の前面だけでなく側面にも、化粧板のステンレスの質感が表れることになり、美観に優れる。また、基材の側面と化粧板の側壁部との間に空隙が形成されていて、この空隙にエッジ部材の挿入部が差し込まれることから、ステンレス鋼からなる化粧板を折り曲げる際の寸法公差を大きくでき、生産性を向上できる。
【００１３】
また、エッジ部材は、挿入部が空隙に差し込まれるので、空隙に確実に取付けられ、経年劣化しても脱落するおそれを低減できる。さらに、エッジ部材は、装飾部によって少なくとも基材のエッジおよび化粧板の側端部の後端部を覆うことから、美感を向上させるだけでなく、使用者の手を保護して、安全性も向上する。
【００１４】
さらに、前板の少なくとも下面においてキャップの間が押出成形材であるモールで覆われるから、まず、長い材料を製造し、その後で基材の寸法に合わせて切断することで、好適な寸法のモールを得ることができる。このため、寸法の異なる複数の引出に対して製造工程を簡略化し、生産性を向上させることができる。したがって、上記収納庫は、生産性および安全性を向上させつつ、美観にも優れたものとなる。
【００１５】
前板の上面は、キャップおよびモールに代えて、取手部材で覆われているとよい。これにより、前板の下面がキャップおよびモールで覆われ、かつ、前板の上面が取手部材で覆われるので、キャップおよびモールにより生産性を向上させつつ、取手部材により使い勝手も向上する。なお、取手部材として、引出の前板から前方に突出しつつ下方に向かって湾曲したライン取手を適用した場合には、引出の前板の前面部に取手部材を直接取付ける必要がなく、美観をより優れたものにできる。
【００１６】
挿入部は弾性部材であって、装飾部は硬質の樹脂部材であるとよい。これにより、挿入部を弾性部材とすることで、より寸法公差の幅を広げることができ、製造が容易になり生産性が向上する。また、装飾部を硬質の樹脂部材とすることで、キャビネット側のパッキンと繰り返し衝突しても変形を防止することができ、耐久性を向上させることができる。ここで、材質の異なる２種類の部材である挿入部と装飾部とは、接着または熱溶着、超音波溶着等により接合するか、あるいは、２色成形することによって製造すればよい。なお、装飾部は、清掃性を考慮してスベアップ（登録商標）等の滑性樹脂を用いることが望ましい。
【００１７】
基材の上面および下面のうち、キャップおよびモールが取り付けられる面には長手方向に沿って溝が形成されていて、キャップおよびモールは、溝と係合する突出部分を有し、突出部分はやじり形状であるとよい。これにより、キャップおよびモールが突出部分を有していることから、溝との位置決めが容易となり、生産性が向上すると共に、脱落が防止され耐久性も向上する。特に、突出部分がやじり形状であることから、抜け落ちにくく、接着剤が固化するまでは仮留めすることができ、また、経年で接着剤が収縮および剥離した後にも脱落し難くなる。
【発明の効果】
【００１８】
本発明によれば、生産性および安全性を向上させながら、美観にも優れた収納庫を提供することができる。
【図面の簡単な説明】
【００１９】
【図１】本実施形態における収納庫を備えるキッチンを示す図である。
【図２】図１に示す前板の一部を拡大して示す図である。
【図３】図２に示す前板のＡ−Ａ断面、側面およびＢ−Ｂ断面を示す図である。
【図４】図２に示す前板の内部を上面から見た状態を示す図である。
【図５】前板の分解斜視図である。
【図６】前板の他の構成例を説明する図である。
【発明を実施するための形態】
【００２０】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
（キッチン）
図１は、本実施形態における収納庫を備えるキッチンを示す図である。キッチン１００は、一枚の天板１１０（ワークトップ）の下に複数の収納庫（キャビネット）を備えた、いわゆるシステムキッチンである。天板１１０は、合成樹脂（人工大理石）やステンレスなどからなり、キッチン１００の全体の上面を覆っている。また、天板１１０には、組込み式に取り付けられたコンロ１１２の上面に対応するスペース１１２ａ、平坦なテーブル面であり主に調理を行うのに利用される調理スペース１１４、天板１１０に一体形成されたシンク１１６が設けられる。
【００２２】
天板１１０の下は、コンロ１１２本体が設置されているコンロキャビネット１２０と、調理スペース１１４に対応したベースキャビネット１３０と、シンク１１６が設置されているシンクキャビネット１４０等の各収納庫で構成される。各収納庫は、収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００２３】
各収納庫は、被収納物を収納するために、様々な大きさのスライド式の引出を設けている。コンロキャビネット１２０は、上部にコンロ１１２のグリル１１２ｂおよび操作パネル１１２ｃを備え、その脇には調味料などの小物を収納するための小さな引出であるスパイスボックス１２２が配設されている。コンロキャビネット１２０の中央部（グリル１１２ｂの下）には幅の広い大きな引出１２４が配設され、鍋やボウルなどの比較的大きな調理器具を収納することが可能になっている。また、コンロキャビネット１２０の下部の床近傍には、引出式の足元収納である足下収納庫１２６が配設されている。同様に、ベースキャビネット１３０には、複数の引出１３２、１３４および足下収納庫１３６が配設され、シンクキャビネット１４０には、引出１４４、および足下収納庫１４６が配設されている。さらに、複数の引出１２４、１３２、１３４、１４４には、図示のように、取手１５０、１５２、１５４、１５６がそれぞれ取り付けられている。
【００２４】
（収納庫）
次に、本実施形態の特徴である収納庫について説明する。以下では、図２〜図５を参照して、図１に示す各収納庫のうち、ベースキャビネット１３０の引出１３４の前面に設けられた前板２００の構造について説明する。但し、前板２００の構造は、ベースキャビネット１３０の引出１３４に限らず、他の収納庫であるベースキャビネット１３０の引出１３２、コンロキャビネット１２０およびシンクキャビネット１４０の各引出１２４、１４６にも適用可能である。
【００２５】
図２は、図１に示す前板２００の一部を拡大して示す図である。図２（ａ）は、図１中、点線で示す領域２０２を拡大して示す図である。図２（ｂ）は、図２（ａ）に示す前板２００の上面からキャップを外した状態を示す図である。図３は、図２に示す前板２００のＡ−Ａ断面、側面およびＢ−Ｂ断面を示す図である。図３（ａ）は、図２（ａ）に示すキャップのＡ−Ａ断面図である。図３（ｂ）は、図３（ａ）に示すキャップを矢印Ｃから見た側面図である。図３（ｃ）は、図２に示すモールのＢ−Ｂ断面図である。図３（ｄ）は、モールの他の例を示すＢ−Ｂ断面図である。図４は、前板２００の内部を上面から見た状態を示す図である。図４（ａ）は、前板２００の上面からキャップおよびモールを外した状態を示す図である。図４（ｂ）は、図４（ａ）に示すエッジ部材を拡大して示す図である。図５は、前板２００の分解斜視図である。
【００２６】
前板２００は、図２、図４（ａ）および図５に示すように、ほぼ板状の基材２１０と、ステンレス鋼からなる化粧板２２０と、エッジ部材２３０、２３０Ａと、キャップ２４０、２４０Ａおよびモール２５０とからなる。基材２１０は、例えば木製であり、前面２１２と、側面２１４と、上面２１０ａおよび下面２１０ｂと、裏面２１０ｃとを有していて、上面２１０ａおよび下面２１０ｂのほぼ中央には長手方向に沿って溝２１６が形成されている（図５参照）。
【００２７】
化粧板２２０は、図２（ｂ）、図４（ａ）および図５に示すように、基材２１０の前面２１２に対応する前面部２２２と、前面部２２２から屈曲して基材２１０の側面２１４とほぼ平行に延びる側壁部２２４とを有している。化粧板２２０の側壁部２２４と基材２１０の側面２１４との間には、図２（ｂ）および図４（ａ）に示すように、空隙２６０が形成されている。
【００２８】
エッジ部材２３０は、図４（ｂ）に示すように、弾性部材である挿入部２３２と、硬質の樹脂部材である装飾部２３４とからなり、ほぼＴ字形状を有している。なお、エッジ部材２３０Ａは、図４（ａ）および図５に示すように、エッジ部材２３０と左右対称の構造を有していて機能等が同様であるので、説明を省略する。
【００２９】
エッジ部材２３０は、これら材質の異なる挿入部２３２と装飾部２３４とを、接着または熱溶着、超音波溶着等により接合するか、あるいは、２色成形することによって製造される。挿入部２３２は、図２（ｂ）および図４（ａ）に示すように、空隙２６０に差し込まれる。装飾部２３４は、挿入部２３２の後端から左右に連続する基材側端部２３６と化粧板側端部２３８とを備える。なお、装飾部２３４は、清掃性を考慮してスベアップ（登録商標）等の滑性樹脂を用いることが望ましい。基材側端部２３６および化粧板側端部２３８は、挿入部２３２が空隙２６０に差し込まれた状態で、基材２１０側および化粧板２２０側にそれぞれ張り出している。
【００３０】
基材側端部２３６は、挿入部２３２が空隙２６０に差し込まれた状態で、基材２１０の裏面２１０ｃと側面２１４とが交差するエッジ２１８と、基材２１０のエッジ２１８近傍の裏面２１０ｃとを覆う。また、化粧板側端部２３８は、挿入部２３２が空隙２６０に差し込まれた状態で、化粧板２２０の側壁部２２４の後端部２２６を覆う（図２（ｂ）および図４参照）。
【００３１】
キャップ２４０、２４０Ａは、例えばＡＢＳ樹脂からなり、図５に示すように、基材２１０の上面２１０ａおよび下面２１０ｂの両端部で、上記した空隙２６０と、基材２１０の上面２１０ａおよび下面２１０ｂに位置するエッジ部材２３０の端部とを覆っている（図２参照）。なお、キャップ２４０Ａは、図５に示すように、キャップ２４０と左右対称の構成を有していて、機能等が同様であるから、説明を省略する。
【００３２】
また、キャップ２４０は、図３（ａ）および図３（ｂ）に示すように、基材２１０の溝２１６と係合するやじり形状の突出部分２４２を有する。さらに、キャップ２４０には、突出部分２４２と溝２１６との係合を補助するボス２４４が形成されている。
【００３３】
モール２５０は、断面形状がほぼ一定の押出成形材であり、図５に示すように、基材２１０の上面２１０ａおよび下面２１０ｂでキャップ２４０、２４０Ａの間を覆う。また、モール２５０は、薄い厚みを維持するために、エラストマー樹脂で成形することが望ましい。さらに、モール２５０は、図２および図３（ｃ）に示すように、キャップ２４０、２４０Ａと同様に、基材２１０の溝２１６と係合するやじり形状の突出部分２５２を有する。また、突出部分２５２は、図３（ｄ）に示すように、根元部分に凹部２５４を形成して、ヒケを防止する形状としてもよい。
【００３４】
以下、図５を参照して、前板２００の組立て作業について説明する。まず、基材２１０の前面２１２に化粧板２２０の前面部２２２を対応させ、さらに、基材２１０の側面２１４に化粧板２２０の側壁部２２４を対応させた状態で、化粧板２２０の前面部２２２を基材２１０の前面２１２に接触させる。このため、基材２１０の前面２１２が化粧板２２０の前面部２２２で覆われ、さらに、基材２１０の側面２１４が化粧板２２０の側壁部２２４で覆われる。よって、基材２１０の前面２１２だけでなく側面２１４にも、化粧板２２０のステンレスの質感が現れることになり、美観に優れる。
【００３５】
続いて、上記したように、基材２１０の側面２１４と化粧板２２０の側壁部２２４との間には空隙２６０が形成されていて、この空隙２６０にエッジ部材２３０、２３０Ａの挿入部２３２が差し込まれる。このため、ステンレス鋼からなる化粧板２２０を折り曲げる際の寸法公差を大きくでき、生産性を向上できる。また、エッジ部材２３０、２３０Ａは、挿入部２３２が空隙２６０に差し込まれることから、空隙２６０に確実に取付けられ、経年劣化しても脱落するおそれを低減できる。
【００３６】
また、挿入部２３２が空隙２６０に差し込まれた状態で、エッジ部材２３０、２３０Ａの装飾部２３４は、化粧板２２０の側壁部２２４の後端部２２６と、基材２１０のエッジ２１８およびエッジ２１８近傍の裏面２１０ｃとを覆う。このため、装飾部２３４により美感が向上するだけでなく、使用者の手を保護することにもなり、安全性が向上する。
【００３７】
さらに、上記したように、挿入部２３２を弾性部材としたので、より寸法公差の幅を広げることができ、製造が容易になり、生産性が向上する。また、装飾部２３４を硬質の樹脂部材としたので、例えばキャビネット側のパッキンと繰り返し衝突しても、変形を防止でき、耐久性が向上する。
【００３８】
続いて、基材２１０の上面２１０ａおよび下面２１０ｂの両端部にキャップ２４０、２４０Ａを取り付け、さらに、キャップ２４０、２４０Ａ間にモール２５０を取り付けることで、前板２００の組み立て作業が完了する。キャップ２４０およびモール２５０の取付けでは、キャップ２４０、２４０Ａおよびモール２５０の突出部分２４２、２５２と基材２１０の溝２１６とを係合させる。
【００３９】
ここで、キャップ２４０、２４０Ａおよびモール２５０が突出部分２４２、２５２を有しているので、溝２１６との位置決めが容易となり、生産性が向上し、さらに、脱落が防止され耐久性が向上する。特に、突出部分２４２、２５２がやじり形状であるので、抜け落ち難く、接着剤が固化するまでは仮留めが可能となり、さらに、経年で接着剤が収縮および剥離した後にも脱落し難くなる。
【００４０】
また、基材２１０の上面２１０ａおよび下面２１０ｂの両端部がキャップ２４０、２４０Ａで覆われていて、それらの間が押出成形材であるモール２５０で覆われるので、モール２５０は、まず長い材料を製造し、その後で基材２１０の寸法に合わせて切断すればよい。よって、寸法の異なる複数の引出に対して製造工程を簡略化でき、生産性を向上させることができる。
【００４１】
これらのことから、本実施形態における収納庫（ベースキャビネット１３０）では、前面に前板２００を備えた引出１３４を有することで、生産性および安全性を向上させながら、美観にも優れたものとなる。
【００４２】
上記実施形態では、前板２００の基材２１０の上面２１０ａは、下面２１０ｂと同様に、両端部に配置されるキャップ２４０、２４０Ａと、キャップ２４０、２４０Ａ間に配置されるモール２５０とで覆われている例を示したが、これに限定されない。すなわち、基材２１０の上面２１０ａが、キャップ２４０、２４０Ａおよびモール２５０に代えて、適宜の取手部材で覆われるようにしてもよい。
【００４３】
図６は前板の他の構成例を説明する図である。図に示す前板２７０では、前板２７０の上面には、取手部材２７２が取り付けられている。取手部材２７２は、図１に示した取手１５４とは異なり、例えば引出１３４の前板２７０から前方に突出しつつ下方に向かって湾曲したひさし形状を有するライン取手である。このように基材２１０の下面２１０ｂをキャップ２４０、２４０Ａおよびモール２５０で覆い、さらに、基材２１０の上面２１０ａを、キャップ２４０、２４０Ａおよびモール２５０の上方からライン取手で覆うようにしてもよい。このようにすれば、引出１３４の前板２７０の前面にコの字状の取手１５４を取付ける必要がなく、美観をより優れたものにできる。
【００４４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、前面に前板を備えた引出を有する収納庫に利用することができる。
【符号の説明】
【００４６】
１００…キッチン、１１０…天板、１１２…コンロ、１１２ａ…スペース、１１２ｂ…グリル、１１２ｃ…操作パネル、１１４…調理スペース、１２０…コンロキャビネット、１２２…スパイスボックス、１２４、１３２、１３４、１４４…引出、１２６、１３６、１４６…足下収納庫、１３０…ベースキャビネット、１４０…シンクキャビネット、１５０、１５２、１５４、１５６…取手、２００…前板、２１０…基材、２１０ａ…上面、２１０ｂ…下面、２１０ｃ…裏面、２１２…前面、２１４…側面、２１６…溝、２１８…エッジ、２２０…化粧板、２２２…前面部、２２４…側壁部、２２６…後端部、２３０、２３０Ａ…エッジ部材、２３２…挿入部、２３４…装飾部、２３６…基材側端部、２３８…化粧板側端部、２４０、２４０Ａ…キャップ、２４２、２５２…突出部分、２４４…ボス、２５０…モール、２５４…凹部、２６０…空隙、２７０…前板、２７２…取手部材
【図１】
0005484364.tif 000002
【図２】
0005484364.tif 000003
【図３】
0005484364.tif 000004
【図４】
0005484364.tif 000005
【図５】
0005484364.tif 000006
【図６】
0005484364.tif 000007